(57)【特許請求の範囲】
【請求項１】
鍵盤楽器の左右の腕木間に配置され、前後方向にスライドすることにより演奏部を開閉する鍵盤蓋を案内するための鍵盤蓋のガイド装置であって、
前記鍵盤蓋の前部に側方に突出して設けられた左右のガイド突起と、
前記左右の腕木の内側面に斜め前下がりにそれぞれ形成され、前記左右のガイド突起がそれぞれスライド自在に係合することにより、前記鍵盤蓋を前記演奏部を開放する後方の開放位置と閉鎖する前方の閉鎖位置との間で前後方向にスライド自在に案内する左右のガイド溝と、
前記鍵盤蓋が前記閉鎖位置付近へスライドしたときに前記鍵盤蓋を停止または減速するストッパと、
を備えていることを特徴とする鍵盤蓋のガイド装置。
【請求項２】
前記ストッパが、前記ガイド溝の底部の前部に設けられ、前記鍵盤蓋が前記閉鎖位置付近へスライドしたときに、前記ガイド突起が係合することにより前記鍵盤蓋を係止する凹部で構成されていることを特徴とする、請求項１に記載の鍵盤蓋のガイド装置。
【請求項３】
前記ストッパが、前記ガイド溝の前部に当該ガイド溝内に突出して設けられ、前記鍵盤蓋が前記閉鎖位置付近へスライドしたときに、前記ガイド突起が摺接することにより前記鍵盤蓋を減速する摺接部で構成されていることを特徴とする、請求項１に記載の鍵盤蓋のガイド装置。
【請求項４】
前記摺接部が弾性材で構成され、この弾性材の摺接面に、前後方向に並んで配置され且つ前記ガイド溝の延びる方向に対し後方に向かって斜めに傾斜する多数のひだが形成されていることを特徴とする、請求項３に記載の鍵盤蓋のガイド装置。
【発明の詳細な説明】
【０００１】
【発明の属する技術分野】
本発明は、電子ピアノなどの鍵盤楽器に用いられるスライド式の鍵盤蓋を案内する鍵盤蓋のガイド装置に関する。
【０００２】
【従来の技術】
従来のこの種の鍵盤蓋のガイド装置として、例えば、図４および図５に示すものが知られている。このガイド装置は、電子ピアノに適用されたものであり、鍵盤蓋１１の前端部および後端部に左右両側に突出して設けられた前後のガイド軸２７、３１と、左右の腕木４、４（一方のみ図示）の各内側面に前後方向に延びるように形成され、前後のガイド軸２７、３１がそれぞれスライド自在に係合する前後のガイド溝２０、２３と、を備えている。
【０００３】
前ガイド溝２０は、全体としては斜め前下がりに延びており、具体的には、後ろ側のほぼ水平な水平部２０ａと、その前端から斜め前下がりに延びる傾斜部２０ｂと、その前端から下方に延びる鉛直部２０ｃによって構成されている。また、後ガイド溝２３は、後ろ下がりに若干傾斜して直線的に延びている。以上の構成により、鍵盤蓋１１は、前後のガイド軸２７、３１が前後のガイド溝２０、２３に沿ってそれぞれ案内されることにより、鍵盤９などを開放する、図４に示す開放位置と、鍵盤９などを覆い、これを保護する、図５に示す閉鎖位置との間で、前後方向にスライドされる。また、鍵盤蓋１１は、閉鎖位置においては、電子ピアノの前面に設けられた口棒６に当接している。
【０００４】
【発明が解決しようとする課題】
この従来のガイド装置では、鍵盤蓋１１の前ガイド軸２７を案内する前ガイド溝２０が、全体としては斜め前下がりに延び、特に前端部では鉛直方向に延びている。このため、鍵盤蓋１１の閉じ操作が適切でなかった場合や、鍵盤蓋１１を開放位置まで完全に開放しなかったために不意に閉鎖位置側へスライドしたような場合には、鍵盤蓋１１が自重で加速されながら勢いよくスライドし、口棒６に強く衝突することによって、大きな衝突音が発生したり、鍵盤蓋１１や口棒６などが損傷したりするおそれがある。
【０００５】
本発明は、このような課題を解決するためになされたものであり、スライド式の鍵盤蓋を、比較的単純な構成で、確実にゆっくりと閉鎖でき、それにより、大きな衝突音の発生および鍵盤蓋の損傷などを防止することができる鍵盤蓋のガイド装置を提供することを目的としている。
【０００６】
【課題を解決するための手段】
この目的を達成するため、本発明は、鍵盤楽器の左右の腕木間に配置され、前後方向にスライドすることにより演奏部を開閉する鍵盤蓋を案内するための鍵盤蓋のガイド装置であって、鍵盤蓋の前部に側方に突出して設けられた左右のガイド突起と、左右の腕木の内側面に斜め前下がりにそれぞれ形成され、左右のガイド突起がそれぞれスライド自在に係合することにより、鍵盤蓋を演奏部を開放する後方の開放位置と閉鎖する前方の閉鎖位置との間で前後方向にスライド自在に案内する左右のガイド溝と、鍵盤蓋が閉鎖位置付近へスライドしたときに鍵盤蓋を停止または減速するストッパと、を備えていることを特徴とする。
【０００７】
この鍵盤蓋のガイド装置によれば、鍵盤蓋は、その前部に設けた左右のガイド突起が、斜め前下がりの左右のガイド溝にスライド自在に係合し、これらのガイド溝に沿って案内されることによって、開放位置と閉鎖位置の間で前後方向にスライドされ、演奏部を開閉する。また、鍵盤蓋が閉鎖位置付近へスライドしたときには、ストッパが鍵盤蓋を停止または減速する。鍵盤蓋を停止した場合には、その後、鍵盤蓋を前方に少し引き寄せることによって、鍵盤蓋を減速した場合には、その減速作用によって、鍵盤蓋をゆっくりと閉鎖できる。したがって、鍵盤蓋の閉じ操作が適切でなかったため、あるいは、鍵盤蓋が不意に閉鎖位置側にスライドしたために、鍵盤蓋が閉鎖位置付近に至るまでに加速された場合でも、ストッパで鍵盤蓋を一旦停止または減速させることで、鍵盤蓋を確実にゆっくりと閉鎖することができ、それにより、大きな衝突音の発生や鍵盤蓋の損傷などを防止することができる。
【０００８】
この場合、ストッパが、ガイド溝の底部の前部に設けられ、鍵盤蓋が閉鎖位置付近へスライドしたときに、ガイド突起が係合することにより鍵盤蓋を係止する凹部で構成されていることが好ましい。
【０００９】
このガイド装置によれば、ストッパがガイド溝の底部の前部に設けられた凹部で構成され、鍵盤蓋は、閉鎖位置付近へスライドしたときに、ガイド突起が凹部に係止されることによって、停止する。このように、本ガイド装置では、ガイド溝に凹部を設けるだけで、請求項１の作用を単純かつ安価な構成で得ることができる。
【００１０】
あるいは、ストッパが、ガイド溝の前部にガイド溝内に突出して設けられ、鍵盤蓋が閉鎖位置付近へスライドしたときに、ガイド突起が摺接することにより鍵盤蓋を減速する摺接部で構成されていることが好ましい。
【００１１】
このガイド装置では、ストッパがガイド溝の前部にガイド溝に突出して設けられた摺接部で構成され、鍵盤蓋は、閉鎖位置付近へスライドしたときに、ガイド突起が摺接部に摺接し、その際の摺動抵抗によって減速される。このように、本ガイド装置では、ガイド溝に摺接部を設けるだけで、請求項１の作用を単純かつ安価な構成で得ることができる。また、このガイド装置は、請求項２のガイド装置と異なり、鍵盤蓋を停止せずに減速するものであるので、鍵盤蓋を、開放位置からの１回の閉じ操作だけで、より容易に閉鎖できる。
【００１２】
この場合、摺接部が、ガイド溝に設けられた弾性材で構成され、この弾性材の摺接面に、前後方向に並んで配置され且つガイド溝の延びる方向に対し後方に向かって斜めに傾斜する多数のひだが形成されていることが好ましい。
【００１３】
このガイド装置によれば、弾性材で構成した摺接部の摺接面に、鍵盤蓋の閉鎖方向とは逆向きに斜めに傾斜した多数のひだが形成されているので、鍵盤蓋を閉鎖する際には、鍵盤蓋を減速するのに必要な摺動抵抗を確保できるとともに、鍵盤蓋を開放する際には、ひだが倒れやすく、摺動抵抗が軽減されることで、鍵盤蓋を小さな操作力で開放できる。したがって、鍵盤蓋を円滑に開閉することができる。
【００１４】
【発明の実施の形態】
以下、本発明の好ましい実施形態を、図面を参照しながら、詳細に説明する。図１は、本発明の第１実施形態によるガイド装置を組み込んだ電子ピアノを示している。なお、図１では、電子ピアノ１を一部省略して描くとともに、図４および図５に示したのと同じ構成要素については、同じ符号を付している。この電子ピアノ１のピアノ本体２は、棚板３、左右の腕木４、４（一方のみ図示）、屋根５および口棒６などを組み立てることにより形成されたケース７と、このケース７内に配置された、演奏部８を構成する多数の鍵盤９およびコントロールパネル１０と、演奏部８を開閉する鍵盤蓋１１などを備えている。以下、演奏者から見て手前を「前」、先方を「後」として、説明を行うものとする。
【００１５】
鍵盤９は、白鍵９ａと黒鍵９ｂで構成されており、それらの中央部に形成したバランスピン孔１２を介して、棚板３に取り付けたシャーシ１３から立設するバランスピン１４に、揺動自在に支持されている。また、白鍵９ａおよび黒鍵９ｂの前部に形成したフロントピン孔１５ａ、１５ｂと、シャーシ１３に立設したフロントピン１６ａ、１６ｂとによって、鍵盤９の横振れが防止される。コントロールパネル１０は、鍵盤９の後部を覆うように設けられており、そのパネル面には、音色選択スイッチなどの各種スイッチ（図示せず）が配置されている。
【００１６】
鍵盤蓋１１は、左右の腕木４、４間に配置されており、本発明に係るガイド装置１７によって前後方向に案内されることによって、屋根５の下方に退避し、演奏部８を開放する後方の開放位置（同図の位置Ａ）と、演奏部８を覆うように閉鎖し、これを保護する前方の閉鎖位置（同図の位置Ｅ）との間でスライドする。なお、図１では、その理解の容易化のために、鍵盤蓋１１に関しても、その前部については、上記開放位置および閉鎖位置を含む５つの位置Ａ〜Ｅにある状態を示す一方、後部については、中間の１つの位置にある状態のみを示している。
【００１７】
次に、鍵盤蓋１１およびガイド装置１７の構成を説明する。ガイド装置１７は、基本的には、図４および図５に示した従来のガイド装置と同様に構成されており、各腕木４の内側面の前半部および後半部にそれぞれ取り付けられた、合成樹脂の成形品などから成る前ガイド材１８および後ガイド材１９を備えている。前ガイド材１８には前ガイド溝２０（ガイド溝）が形成されている。この前ガイド溝２０は、腕木４の中央から前端部に亘ってその外緑に沿って前後方向に延びており、具体的には、後ろ下がりに若干傾斜した後ろ側の水平部２０ａと、その前端から斜め前下がりに延びる傾斜部２０ｂと、その前端から下方に延びる鉛直部２０ｃとから成り、傾斜部２０ｂの鉛直部２０ｃ付近の底部には、凹部２０ｄが形成されている。
【００１８】
また、後ガイド材１９には、下半部上面にラック２１が形成され、上半部に後ガイド溝２３が形成されており、これらはいずれも、後ろ下がりに若干傾斜した状態で前後方向に直線的に延びている。後ガイド溝２３は、ラック２１よりも腕木４側の内側面に形成されている。
【００１９】
一方、鍵盤蓋１１は、合成樹脂などで構成された蓋本体２４と、この蓋本体２４の前後端部にそれぞれねじ止めされた、金属などから成る前枠板２５および後枠板２６とを備えている。前枠板２５は下方に延び、その下端部には、金属または合成樹脂から成る前ガイド軸２７が、左右両側に突出するように設けられており、この左右の突出部にキャップ２８、２８（一方のみ図示）が取り付けられている。本実施形態では、キャップ２８を取り付けた前ガイド軸２７の左右の突出部が、ガイド装置１７の左右のガイド突起を構成し、左右の前ガイド溝２０、２０にそれぞれスライド自在に係合しており、それにより、鍵盤蓋１１の前部がスライド自在に案内される。また、前枠板２５の下面には、鍵盤蓋１１を閉鎖したときに口棒６に当接するクッション２９が取り付けられている。
【００２０】
また、後枠板２６には、ホルダ３０を介して、金属または合成樹脂から成る後ガイド軸３１が、左右両側に突出するように設けられている。そして、この後ガイド軸３１の左右の突出部が、これに取り付けたキャップ３２、３２（一方のみ図示）を介して、左右の後ガイド溝２３、２３にそれぞれスライド自在に係合しており、それにより、鍵盤蓋１１の後部がスライド自在に案内される。また、後ガイド軸３１の両端部には、上記の突出部を残して、前記ラック２１、２１に噛み合うピニオン３３、３３（一方のみ図示）が、回転自在に取り付けられている。
【００２１】
以上の構成により、鍵盤蓋１１は、その前ガイド軸２７および後ガイド軸３１が、前ガイド溝２０および後ガイド溝２３でそれぞれ案内されることによって、開放位置Ａと閉鎖位置Ｅの間でスライドし、演奏部８を開閉する。この場合、左右のピニオン３３が左右のラック２１に噛み合っていることにより、鍵盤蓋１１が左右バランス良くスライドする。また、鍵盤蓋１１を閉鎖する際には、鍵盤蓋１１が閉鎖位置Ｅの付近の位置Ｄに達したときに、前ガイド軸２７が前ガイド溝２０の凹部２０ｄに係合し、これに係止される。そして、その後、鍵盤蓋１１を前方に少し引き寄せることによって、鍵盤蓋１１を閉鎖位置Ｅにゆっくりと閉鎖することができる。
【００２２】
以上のように、本実施形態のガイド装置１７によれば、鍵盤蓋１１の閉じ操作が適切でなかったため、あるいは、鍵盤蓋１１が不意に閉鎖位置Ｅ側にスライドしたために、鍵盤蓋１１が加速された場合でも、位置Ｄにおいて凹部２０ｄで鍵盤蓋１１を一旦停止させることで、鍵盤蓋１１を確実にゆっくりと閉鎖することができ、それにより、大きな衝突音の発生や鍵盤の損傷などを防止することができる。また、このガイド装置１７は、既存のガイド装置に対して、その前ガイド溝に凹部２０ｄを付加しただけの関係にあるので、単純かつ安価に構成できる。
【００２３】
次に、図２および図３を参照しながら、本発明の第２実施形態について説明する。両図に示すように、本実施形態によるガイド装置３７は、上述した第１実施形態のガイド装置１７と比較し、前ガイド溝２０の傾斜部２０ｂの鉛直部２０ｃ付近に、凹部２０ｄに代えて、摺接部材３８（摺接部）を設けた点だけが異なるものであり、他の構成は第１実施形態と同じである。
【００２４】
図３に示すように、この摺接部材３８は、ソケット状のものであり、シリコンゴムなどの弾性材で構成され、前ガイド溝２０の傾斜部２０ｂに形成した開口２０ｅに嵌合している。また、摺接部材３８は、前ガイド溝２０よりも小さな所定の内径を有し、前ガイド溝２０内に突出していて、その内面には、多数のひだ３９が前後方向に並んで形成されている。これらのひだ３９は、前ガイド溝２０の延びる方向に対し後方に向かって斜めに傾斜するように、すなわち鍵盤蓋１１の閉鎖方向とは逆向きに傾斜するように形成されている。
【００２５】
このガイド装置３７によれば、鍵盤蓋１１を閉鎖する際、閉鎖位置Ｅの付近の位置Ｇに達したときに、前ガイド軸２７が摺接部材３８の内面に摺接し、その際の摺動抵抗で鍵盤蓋１１を減速することによって、鍵盤蓋１１を確実にゆっくりと閉鎖することができる。したがって、第１実施形態と同様、鍵盤蓋１１の閉鎖時における大きな衝突音の発生や、鍵盤蓋１１の損傷などを防止することができる。また、摺接部材３８に形成したひだ３９が上述した方向に傾斜して形成されていることによって、鍵盤蓋１１を閉鎖する際には、鍵盤蓋１１を減速するのに必要な摺動抵抗を確保できるとともに、鍵盤蓋１１を開放する際には、ひだ３９が倒れやすく、摺動抵抗が軽減されることで、鍵盤蓋１１を小さな操作力で開放でき、したがって、鍵盤蓋１１を円滑に開閉することができる。
【００２６】
また、このガイド装置３７では、既存のガイド装置に対して、そのガイド溝に摺接部材３８を付加しただけの関係にあるので、第１実施形態のガイド装置１７と同様、単純かつ安価に構成できる。さらに、このガイド装置３７は、第１実施形態と異なり、鍵盤蓋１１を停止せずに減速するものであるので、鍵盤蓋１１を、開放位置Ａからの１回の閉じ操作だけで、より容易に閉鎖することができる。
【００２７】
なお、本発明は、説明した実施形態に限定されることなく、種々の態様で実施することができる。例えば、第２実施形態では、摺接部材３８を前ガイド溝２０に後付けしているが、摺接部材３８と前ガイド溝２０を有する前ガイド材１８とを異種の合成樹脂で構成し、これらを同時に一体成形するようにしてもよい。また、実施形態は、本発明を電子ピアノに適用した例であるが、本発明は、これに限らず、スライド式の鍵盤蓋を有する他の鍵盤楽器にも、もちろん適用することができる。その他、本発明の趣旨の範囲内で、細部の構成を適宜、変更することが可能である。
【００２８】
【発明の効果】
以上のように、本発明の鍵盤蓋のガイド装置は、スライド式の鍵盤蓋を、比較的単純な構成で、確実にゆっくりと閉鎖でき、それにより、大きな衝突音の発生および鍵盤蓋の損傷などを防止することができるなどの効果を有する。
【図面の簡単な説明】
【図１】本発明の第１実施形態によるガイド装置を組み込んだ電子ピアノの部分側断面図である。
【図２】本発明の第２実施形態によるガイド装置を組み込んだ電子ピアノの部分側断面図である。
【図３】図２のガイド装置の摺接部材およびその周辺の構成を示す拡大断面図である。
【図４】従来の電子ピアノを、鍵盤蓋の開放状態において示す側断面図である。
【図５】図４の電子ピアノを、鍵盤蓋の閉鎖状態において示す側断面図である。
【符号の説明】
１    電子ピアノ（鍵盤楽器）
４    腕木
８    演奏部
１１    鍵盤蓋
１７    ガイド装置
２０    前ガイド溝（ガイド溝）
２０ｄ  凹部
２７    前ガイド軸（ガイド突起）
３７    ガイド装置
３８    摺接部材（摺接部）
３９    ひだ
Ａ    開放位置
Ｅ    閉鎖位置
【図１】
0003595189.tif 000002
【図２】
0003595189.tif 000003
【図３】
0003595189.tif 000004
【図４】
0003595189.tif 000005
【図５】
0003595189.tif 000006